Podtech/llm-jp-corpus-v4-ja_patent huggingface dataset:
(57)【要約】【課題】タイマー付振動モーター装置をつけた枕カバーを提供する。【解決手段】枕カバー下部のチャック付袋にタイマー付振動モーター装置を入れたことを特徴とする携帯用目覚まし機能付枕カバー【選択図】図１
2005279298.tif 000002
【特許請求の範囲】
【請求項１】
枕カバーの下部のチャック付袋にタイマー付振動モーター装置をつけたことを特徴とする携帯用目覚まし機能付枕カバー
【発明の詳細な説明】
【技術の分野】
【０００１】この発明は携帯可能の目覚まし機能付枕カバーに関するものである。
【背景技術】
【０００２】従来枕の中に板をとりつけて振動させる目覚まし枕があった。（特許文献１参照）
【特許文献１】特開２００３−２９００１４号公報
【発明の開示】
【発明が解決しようとする課題】
【０００３】そのために、次のような問題点があった。
（イ）枕の中に板をとりつけるという手間があった。
（ロ）限定された場所でしか使えず、携帯するのに大きな荷物となってしまう。
（ハ）枕が個人それぞれのサイズに合わない。
（ニ）生産コストがかかり、製品価格が高価になってしまう。
本発明は、これらの問題点を解決するためになされたものである。
【課題を解決するための手段】
【０００４】枕カバーの下部につけたチャック付袋にタイマー付振動モーター装置を入れる。
以上を特徴とする目覚まし機能付枕カバーである。
【発明の効果】
【０００５】個人それぞれの枕に枕カバーを装着し、タイマー付振動モーター装置によって目覚めることができ、また振動モーター装置をはずし、枕カバーを洗たくできるので繰り返し使うことができ、さらに旅行先へ携帯することができ、きわめて便利である。
【発明を実施するための最良の形態】
【０００６】以下、本発明の実施の形態について説明する。
（イ）綿製の枕カバー（１）の上下両側にマジックテープ（登録商標）（２）をつける。
（ロ）枕カバーの下部にチャック（登録商標）（３）をつけた袋をつける。
（ハ）袋の中にタイマー付振動モーター装置（４）を入れる。タイマー付振動モーター装置は乾電池（登録商標）とＡＶアダプター（登録商標）（５）の併用ができる。
本発明は以上のような構成でこれを使用する時は個人それぞれのサイズに合った枕に装着する。
【図面の簡単な説明】
【０００７】
【図１】本発明の斜視図
【符号の説明】
【０００８】１  枕カバー
２  マジックテープ
３  チャック付袋
４  タイマー付振動モーター装置
５  ＡＶアダプター
【図１】
2005279298.tif 000003
(57)【要約】【課題】足・腰のストレッチ効果だけ出なく、Ｏ脚・Ｘ脚の体型補正効果や下半身のトラブル（冷え、むくみ等）の解消、美脚・背筋の伸びを可能にする。【解決手段】従来のかかと下げサンダルに足半を内臓することにより足裏の感覚受容器を刺激し脚の筋肉バランスを整える。また、内側を低くすることで内側重心によるＯ脚・Ｘ脚などのゆがみを是正する効果がある。また、ゆがみ改善により、冷え・むくみ・腰痛等の緩和解消効果がある。【選択図】    図１
2005279235.tif 000002
【特許請求の範囲】
【請求項１】
１つのサンダルで足腰のストレッチ、脚の体型補正と美脚と足腰の健康に欠かせない脚の筋肉強化を図るサンダル。
【発明の詳細な説明】
【技術分野】
【０００１】  本発明は足のストレッチと足半による背筋のび、足脚の体型補正を図ったサンダルに関する
【背景技術】
【０００２】  従来のかかと下げサンダルは特許公開公報「２００３−２３０４０１」に記載されている。【０００３】  内側重心体型補正機能のスリッパは特許公開「２００１−２１８６０１」に記載されている。
【発明の開示】
【発明が解決しょうとする課題】
【０００４】  従来のかかと下げサンダルは足のストレッチを高める機能だけであり、体型補正機能とは別々のサンダルである。
【課題を解決するための手段】
【０００５】  本発明は、かかと下げサンダルに足半を内蔵することにより足裏の感覚受容器を刺激し脚の筋肉のバランスを整える。また、内側を低くすることで内側重心によるＯ脚・Ｘ脚などのゆがみを是正する効果がある。また、ゆがみの改善によ、冷え・むくみ・ひざ・腰痛などの緩和解消にも効果がある。
【発明の効果】
【０００６】  本発明は１足のサンダルで足、腰のストレッチ効果だけでなく、Ｏ脚・Ｘ脚の体型補正と下半身の冷え・むくみ改善や美脚効果があります。
【発明を実施するための最良の形態・実施例】
【０００７】  本発明は、図１で示されているようにかかと下げサンダルに内側重心と足半を加えた１つのサンダル。
【図面の簡単な説明】
【図１】従来のかかと下げサンダルに内側重心機能と足半部分の底上げ機能を加えたサンダル。
【図２】サンダルの内側
【図３】サンダルの外側
【図１】
2005279235.tif 000003
【図２】
2005279235.tif 000004
【図３】
2005279235.tif 000005
(57)【要約】【課題】  たわしは、水切りの上に乗せても、なかなか乾燥せず、清潔な状態にするのは、非常に難しい。【解決するための手段】  たわしを、日光と風に当て、乾燥させる。日光があたりやすいよう、目がつみ過ぎず、しかも、虫が入らないよう、目が、かなり細かいネットに入れる。ネットに、穴をあけ、穴の周囲に、ゴム紐を通して絞り、手提げに付けたフックをそこから出す等する。それを、洗濯竿に引っ掛けると、籠を洗濯竿に吊るすことができる。風と日光にしっかり当たるよう、中ぶらりんな状態で、手提げに付けた紐に、たわしを吊るす。ネットは、使う面積を少なくすると、風のとおりが良くなり、日当たりも良くなる。たわしは、ネットにつけたファスナー部分から、出し入れする。適当な台に、大きい手提げ籠を乗せると、業務用等のたわしを、たくさん干すことができる。手提げのついた籠は、籐などの軽いものが望ましい。【選択図】  図１
2005279231.tif 000002
【特許請求の範囲】
【請求項１】
たわしをぶら下げる、手提げのついた籠と、たわしをぶら下げるひもと、ひもの先端につけるフックと、籠を入れる目の細かいファスナー付きネットと、籠を洗濯用の竿等にぶら下げるフックと、たわしのしずくを受ける受け皿と、しずくを吸うスポンジからなる、たわし日光浴乾燥用品。手提げのついた籠は、籐などの軽いものが望ましい。
【発明の詳細な説明】
【技術分野】
【０００１】たわしを干す道具に関する
【技術背景】
【０００２】  たわしを干す道具というものは、現在、市販されてないように思われる。
【課題】
【０００３】  たわしは、水切りの上に乗せても、なかなか乾燥せずに、湿っていて、清潔に見える状態にするのは、非常に難しい。
【問題を解決するための手段】
【０００４】  たわしを、ネットの中に入れ、日光と風に当てて、乾燥させて使う。
【０００５】  手提げ籠につけたひもの先端に、フックを付ける。このフックに、たわしを吊るす。しかも、ネットの中に入れて吊るす。たわしが、風にしっかりあたるように、そして、日光を浴びれるように、中ぶらりんな状態で、つるす。ネットは、虫が接触しないよう、編み目が、かなり細かいもので、しかも、日光があたりやすくするため、目がつみ過ぎないようなものにする。手提げのついた籠は、籐などの軽いものが望ましい。
【０００６】  たわし自身に引っ掛け部分がないときは、手提げから吊るしたひもに、またひもをつなげて、丸くし、その中に、たわしを入れて、ひもの中にたわしが固定するよう、洗濯ばさみではさむ等する。
【０００７】  手提げ籠を洗濯竿に吊るす。そのためには、手提げ籠と、竿をフックでつなぐ。ネットに、穴をあけ、穴の周囲に、ゴム紐を通して絞り、手提げに付けたフックをそこから出す等する。それを、竿に引っ掛けるとたわしを他の洗濯物と同じように干すことができる。そして、ネットのおかげで、虫などが入らないようにすることができる。竿に吊るさないで、適当な台の上に置いても使用することができる。
【０００８】  ネットは、なるべく、使う面積を少なくする。そうすることにより、風のとおりが良くなり、日当たりも良くなる。
【０００９】  たわしは、ネットにつけたファスナー部分から出し入れする。
【００１０】  手提げ籠を大きくすることにより、たくさんのたわしを干すことができる。戸外に、適当な台をおくなどして、業務用のたわしを、たくさん干すことができる。
【効果】
【００１１】  しっかりと風にあたることができるので、たわしが乾燥する。
【００１２】  日光にしっかりとあたり、日光消毒もできる。
【図面の簡単な説明】
【図１】  たわしの日光浴用品に、引っ掛けのあるたわしをぶら下げた図
【図２】  たくさんのたわしをたわしの日光浴用品に、ぶら下げた図
【図３】  たわしの日光浴用品に、引っ掛けのないたわしをぶら下げた図
【符号の説明】
１  たわし
２  手提げ籠
３  ネット
４  ひも
５  フック
６  洗濯竿に吊るすフック
７  たわしのしずくを受ける受け皿、
８  しずくを吸うスポンジ
９  せんたくばさみ
１０  ファスナー
【図１】
2005279231.tif 000003
【図２】
2005279231.tif 000004
【図３】
2005279231.tif 000005
(57)【要約】【課題】従来の粘着剤を塗布したロール紙による掃除具はロール紙の回転軸受が支障になり床と壁、天井と壁の隅、階段部分、また、家具のすき間の掃除が困難である。【解決手段】上記課題を解決するために、本発明は、薄い板状の曲面弾性体（１）に、粘着剤を塗布した粘着紙（２）を複数回使用可能にするため幾重にも貼り重ね、曲面弾性体と一体とし、曲面状態で粘着面にほこり等を付着させ除去する。平板状のため床、壁、天井、階段の隅、家具のすき間にも差込み掃除できるので、上記課題は解決できる。【選択図】図１
2005279234.tif 000002
【特許請求の範囲】
【請求項１】
薄い板状の曲面弾性体（１）に、粘着剤を塗布した粘着紙（２）を複数回使用可能にするため幾重にも貼り重ね、曲面弾性体と一体として曲面状態で床のほこり等を、粘着面に付着させ除去できる粘着部と掃除用の柄を取付けたホルダーから成るほこり取り掃除具。
【請求項２】
ほこり等が接着した使用済みの粘着紙（２）を剥し易くするため、粘着紙（２）の両側（ｂ）には粘着剤を塗布せず、切込み（ａ）を設け、且つ両側の切込みの間にミシン目（ｃ）を刻み使用済みの粘着紙（２）を切除し易くした請求項１のほこり取り掃除具。
【発明の詳細な説明】
【技術分野】
【０００１】本発明は、薄い曲面弾性体と、粘着剤を塗布した粘着紙を一体にし、弾性体の曲面を利用した掃除具に関するものである。
【背景技術】
【０００２】従来の簡易なほこり取り掃除具は、粘着剤を塗布したロール紙を回転させ、ほこりを接着し、その部分の粘着紙を切除する掃除具である。
【発明が解決しようとする課題】
【０００３】従来のロール紙による掃除具はロールの回転軸受が支障になり床と壁、天井と壁の隅、階段部分、また、家具のすき間の掃除が困難である。
【課題を解決するための手段】
【０００４】上記課題を解決するために、本発明は、薄い板状の曲面弾性体（１）に、粘着剤を塗布した粘着紙（２）を複数回使用可能にするため幾重にも貼り重ね、曲面弾性体（１）と一体として、曲面状態の粘着面（ａ）にほこり等を付着させ除去する。平板状のため床、壁、天井、階段の隅、家具のすき間にも差込み掃除できるので、上記課題は解決できる。
【発明の効果】
【０００５】本発明を使用すれば老人、病人の枕元周辺を静かに掃除でき、また階段等の危険な場所での掃除は片手で手摺を持ってできるので安全対策にもなる。
【発明を実施するための最良の形態】
【０００６】薄い板状の曲面弾性体（１）に、粘着剤を塗布した粘着紙（２）を複数回使用可能にするため幾重にも貼り重ね、曲面弾性体（１）と一体とし、曲面状態の粘着面（ａ）にほこり等を付着させる。ほこり等が付着した使用済みの粘着紙（２）を剥し易くするため、粘着紙（２）の両側の耳部（ｂ）には粘着剤を塗布せず、剥離用の切込み（ｃ）を設け、且つ両側の切込みの間にミシン目（ｄ）を刻み使用済みの粘着紙（２）を切除し易くした粘着部を有するほこり取り掃除具。【０００７】粘着部は取替え用として、柄の付いたホルダーに取付け掃くように使用するほこり取り掃除具。
【図面の簡単な説明】
【０００８】
【図１】本発明の使用状態の傾斜図
【図２】本発明の粘着部の傾斜図
【図３】粘着部の分離傾斜図
【符号の説明】
【０００９】１  曲面弾性体
２  粘着紙
３  ホルダー
ａ  粘着面
ｂ  粘着紙の耳部
ｃ  剥離用切込み
ｄ  切除用ミシン目
【図１】
2005279234.tif 000003
【図２】
2005279234.tif 000004
【図３】
2005279234.tif 000005
(57)【要約】【課題】  従来の手で扱う指圧器具に、温熱による健康効果を加えた器具で、熱源がお湯であるから、安価な費用で使用できる。【解決する手段】  容器内のお湯が漏れると危険であるから、容器に強度を持たせる。  液漏れを防ぐため、ネジ部には耐熱パッキンを用いる。  容器が熱いから、容器の外部を布等で遮熱する必要がある。  お湯の漏れによる、火傷に注意が必要です。【選択図】    図３
2005279204.tif 000002
【特許請求の範囲】
【請求項１】
筒形の容器の先端を細く絞り、その先端を球面にし、後部に容器内に液体を注入し排出する穴とネジを設ける。
この容器内にお湯を入れて容器を熱し、容器の先端の球面を、体の温熱に効果のある部分に押し当てて、低温お灸の効果を上げる。
冷水を入れて使ったり、指圧にも利用できる。
【発明の詳細な説明】
【技術分野】
【０００１】  本器具は、お湯を入れた筒形の容器の尖端を、身体の一部に押し当てる指圧効果と、お湯の温熱効果により、身体の健康を向上させる器具である。
【背景技術】
【０００２】  従来の指圧器具は、突起物による指圧効果を得る器具であったが、本器具は、筒形の液体容器にお湯を入れて、容器の先端の球面状の突起を身体の一部に押し当てて、指圧と温熱効果の両面を得る温熱指圧器具である。
【発明の開示】
【発明の効果】
【０００３】  指圧の効果に温熱効果を加えたものである。
熱源はお湯であるから、費用が極安である。
【発明を実施するための最良の形態】
【０００４】  容器の外部は熱いから、容器を防熱布等で包む必要である。
タオル等を巻いて触熱を防ぐ方法もある。
お湯の入った容器の先端は熱いから、薄い布を肌に当てた上から、温熱指圧する箇所に、容器の先端を押しつける。
熱さの強弱の感覚は個人差があるから、肌に当てる布の厚さや、器具を押し当てる時間は、各人で調整する。
【課題を解決するための手段】
【０００５】  容器はガラス容器を使うのが安価であるが、容器の落下による破損の危険があるから、金属容器の使用が好ましい。
容器は熱いから、防熱布等で容器を包んで使用する。
【発明が解決しようとする課題】
【０００６】  安価な熱源で温熱指圧が出来る。
【実施例】
【０００７】  温熱指圧器の容器にジャーのお湯を入れて、先端の球面の部分を、体の温熱効果のある場所に押し当てて使用する。
お湯の入った容器は熱いから、容器を防熱布等で包んで使用する。
接触部も熱いから、指圧する箇所に布を当てた上から、温熱指圧をする。
布の厚さで初めに肌に感じる温度を調整して、そのまま指圧しながら自分の熱さの感覚で、温熱指圧器を肌から離す。
温熱の感覚は人によって違います。体の前面は自分で熱さの調整が出来ますが、手の届かないところは、温熱指圧器を操作している人に、熱さの信号を送って、温熱指圧器を肌から離すようにする。
お湯漏れによる、火傷に注意が特に必要です。【０００８】  容器の握り部分を手の大きさに合わせ、キャップの太さは、握りの部分より細くして、キャップの緩みが生じないようにする。
【発明の効果】
【０００９】  本発明により、火傷をしない程度のお灸の材料や器具を、より安い価格で提供して、指圧と軽いお灸の効果が得られる。
本器具は、お湯漏れによる火傷の危険が少ない。
火傷をするぼどの熱さを我慢して、本格的お灸の効果に近づけたい人は、指圧時間を長くするか、同じ場所を繰り返し温熱接触または、温熱指圧をすれば、お灸の効果に近づきます。
【図面の簡単な説明】
【０００９】
【図１】人体に感熱接触する部分（１）を付けた液体容器（２）の握り部分の太さを、手の大きさに合わせ（３）液体注入排出部のキャップ・ネジ（４）の外径は、容器を握る手がキャップ・ネジに触って、キャップが緩むのを防ぐ為に、キャップ・ネジの部分を細くし、キャップの底部に、耐熱パッキン（５）を付けて、容器内の液漏れを防いだ、温熱指圧器の上面図。
【図２】同上の正面図
【図３】同上の中心垂直の断面図
【図４】同上の液体注入排出部のキャップ・ネジ（４）の立体図。
【図５】同上の液漏れ防止の耐熱パッキン（５）の立体図。
【符号の説明】
【００１０】    １  温熱と指圧を身体に施す液体容器の、人体に接触する箇所。
２  液体容器。
３  容器を握り易くした、容器の細い部分。
４  容器に液体を注入排出する穴の、キャップ・ネジ。
５  液漏れ防止の耐熱パッキン。
【図１】
2005279204.tif 000003
【図２】
2005279204.tif 000004
【図３】
2005279204.tif 000005
【図４】
2005279204.tif 000006
【図５】
2005279204.tif 000007
(57)【要約】【課題】色々な形状のパターにも利用可能なゴルフパター練習用アタッチメントを提供する。【解決手段】パターシャフトに簡単に取り付け取り外し可能で且つ前後、左右、角度を調節可能な構造にする。【選択図】図１
2005279202.tif 000002
【特許請求の範囲】
【請求項１】
多様な形状のゴルフパターのシャフト部に簡単に着脱可能であることを特徴とする鏡面を有したゴルフパター練習用アタッチメント
【請求項２】
ゴルフパター練習用アタッチメントにパッティングの方向を確認するための確認棒を取り付けたことを特徴とする請求項１記載のゴルフパター練習用アタッチメント
【請求項３】
ゴルフパター練習用アタッチメントの鏡面の上端を反曲形状としたことを特徴とした請求項１及び２記載のゴルフパター練習用アタッチメント
【発明の詳細な説明】
【技術分野】
【０００１】  本発明は、ゴルフパターに取り付けて、プレイヤーが打球方向の確認、調整することができるゴルフパター練習用アタッチメントに関するものである。
【背景技術】
【０００２】  一般的にプレイヤーがパッティングの動作をする場合、パッティングラインを想定したうえで、ボールを真上から見下ろし、パターフェイス面の角度とパッティングラインとを直角、同方向にセットアップする。ゴルフパターには上面にスイートスポットの位置を示すマークやラインが記されているものも多いが、このとき、想定したラインや距離感が同じでも、パターフェイスの方向性が狂い照準があっていなければ、カップインすることはできない。そこで、従来、ゴルフ練習用パターのパターヘッドに鏡を載置したり、さらにはその鏡面にラインを形成したりする方法があった。【０００３】  尚、鏡をパターに取りつける方法としては、磁石部分を有するアタッチメント部品として成形し、金属素材のパターヘッドに載置して取り付けるものや、パターヘッド自体に鏡を組み込むような方法があった。
【特許文献１】特開２０００−２１０３９７  特開２０００−９３５６２  特開平１０−２４１２５
【発明の開示】
【発明が解決しようとする課題】
【０００４】
【０００５】  しかしながら、上記の方法だと、多種多様な形状のパターには取り付けにくく、パターヘッド上面が平らであることや、磁石が付く素材であることなど、それぞれ制限が多くあった。またパターへの着脱や鏡面の調整が簡単でないという欠点があった。
【課題を解決するための手段】
【０００６】  上記問題を解決するために、鏡面を有するアタッチメントをパターヘッドではなく、シャフト部分にとりつけ可能な構造とし、多様な形状のパターへの取り付けを可能とすることで、自分が今使っている使い慣れたパターを利用できるようにした。【０００７】  パターシャフト２へ取り付けるための取付け金具５は、スプリング方式とし、ある程度のシャフトの太さにも対応できると同時に、取り付けたい位置に自在且つ簡単に取り付けすることができるし、取り外すことも簡単である。また、鏡裏にある角度調整部８により鏡の角度を調整できる構造にすることで、個人個人の身長差など体系にも関り無くベストポジションを確保できるようにした。【０００８】  また、鏡面の前後、左右の調整をするために前後調整ネジ６と左右調整ネジ７を設けることにより、一層多様な形状のゴルフパターへの適応を可能とした。【０００９】  更に、鏡面中心の目標合わせラインの上部先端に、プレイヤーの目の位置がまっすぐに設定されているかどうかを確認するための確認棒１０を設けることによりスイングの方向を確認することを可能にした。
【発明の効果】
【００１０】  本発明は上述したような構造になっているため、以下のような効果を奏する。従来に比べて、どのような形状のパターへも取り付けが可能であり、脱着が容易である。鏡面を見ることにより、目標となるカップとボールを同時に目視できると共に、目標合わせラインにパッティングラインを合わせることが容易にできる。
更には、方向を見定めるための方向指示具である確認棒１０を備えることで、平面的且つ立体的に照準をあわせることが可能となった。【００１１】  本発明のゴルフパター練習用アタッチメントは、パッティングの方向を安定させるための練習において大変有効であり、使い慣れたいつものパターに安価に且つ容易に照準機能を付加できる。
【実施例１】
【００１２】  図１のゴルフパター練習用アタッチメント１はゴルフパターのパターシャフト部にスプリング方式の取付け金具５によって挟み込み止める構造とし、また、多様な形状のパターに合わせて、前後調整ネジ６や左右調整ネジ７、鏡面裏の角度調整部８をそれぞれのベストポジションに設定することにより、図３の使用例に見られるように、パッティングの構えをした際に、真上からパター、ボール、カップを同時に鏡に映してパッティングの練習ができる構造となっている。
【実施例２】
【００１３】  図２では、パター練習用アタッチメント１の目標合わせライン９の上部先端に、確認棒１０を取り付ける。このことにより、正確な目の位置を決めることができパッティングの動作がスムーズ且つ正確にできるようになる。【００１４】  取り外し簡単なパター練習用アタッチメントを利用することで、いつも使い慣れた自己所有のパターで気軽にパッティングの練習をすることが可能となった。
【実施例３】
【００１５】  更なる実施方法として、打球後のボールの進行状態を確認が容易にできるように、パター練習用アタッチメント１の鏡４の上端を図４のように反曲形状の構造にする。
【産業上の利用可能性】
【００１６】  従来にはないゴルフパター練習用アタッチメントが提供でき、誰でも通常使い慣れた自分のパターに簡単に取り付けることができ、カップインの確立を上げるための練習を手軽且つ安価に行うことが可能となる。
【図面の簡単な説明】
【００１７】
【図１】実施例１の正面図
【図２】実施例２の側面図
【図３】使用の状況を表す参考図
【図４】実施例３の側面図
【符号の説明】
【００１８】      １  ゴルフパター練習用アタッチメント
２  パターシャフト
３  パターヘッド
４  鏡
５  取り付け金具
６  前後調整ネジ
７  左右調整ネジ
８  角度調整部
９  目標合わせライン
１０  確認棒
【図１】
2005279202.tif 000003
【図２】
2005279202.tif 000004
【図３】
2005279202.tif 000005
【図４】
2005279202.tif 000006
(57)【要約】【課題】  従来のポストは、郵便物を投函するだけの機能しかなく、自宅にいながら郵便物が配達されたかされないか、外の門扉に取り付けてあるポストに確認に行かなければならず、ムダな時間を何度も繰り返さなければならなかった。【解決手段】  ポストの投函口の内部に投函口開閉スイッチを取り付け自宅内のチャイムと連動し音が鳴る事で、郵便物の確認をムダな労力と時間を使う事なく、自宅に居ながら確認が出来るようにした。【選択図】  図２
2005279201.tif 000002
【特許請求の範囲】
【発明の詳細な説明】
【技術分野】
【０００１】  郵便物がポスト内に投函される度に、自宅内のチャイムがなることで、いちいち郵便物が入っているか確認することなく、郵便物の投函の確認が出来るポストである。
【背景技術】
【０００２】  従来のポストは郵便物を投函するだけの機能しかなく、自宅内にいて郵便物が来たか来ないか、いちいちポストに確認しなければならなかった。
【発明の開示】
【発明が解決しようとする課題】
【０００３】  従来のポストは、郵便物を投函するだけの機能しかなく、自宅にいながら郵便物が配達されたかされないか、外の門扉に取り付けてあるポストに確認に行かなければならず、ムダな時間を何度も繰り返さなければならなっかた。
【課題を解決するための手段】
【０００４】  本発明は、ポスト１の投函口２の内側に投函口開閉スイッチ５を取り付け郵便物が投函口２より投入される度に、投函口開閉スイッチ５がＯＮ，ＯＦＦの切り替えにより、自宅内に取り付けてあるチャイムに連動し、チャイムが鳴ることで、郵便物の確認が出来るポストにしたものである。
【発明の効果】
【０００５】  本発明は、郵便物の配達の確認をポスト内の投函口開閉スイッチを取り付けることで、郵便物がポストに投函される度に自宅内のチャイムが鳴ることで、ムダにポストに確認に行く時間と労力を削減出来るものである。
以下、本発明の実施の形態について説明する。
（イ）ポスト１本体の投函口２の内側に投函口開閉スイッチ５を取り付ける。
（ロ）投函口開閉スイッチ５から電線接続によりチャイム６を自宅内に取り付ける。
【実施例１】
【０００６】  ポストの投函口の内部に投函口開閉スイッチを取り付け自宅内のチャイムと連動し音が鳴る事で、郵便物の確認をムダな労力と時間を使う事なく、自宅に居ながら確認が出来るようにした。
【図面の簡単な説明】
【０００７】
【図１】    本発明のポストの正面図である。
【図２】    本発明のポストの断面図である。
【符号の説明】
【０００８】    １．ポスト本体
２．投函口
３．郵便物回収口
４．郵便物回収口止め金具
６．投函口開閉スイッチ
７．チャイム
【図１】
2005279201.tif 000003
【図２】
2005279201.tif 000004
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
本発明は、郵便ポストの本体内側に開閉スイッチを取り付け、郵便物を投函口の開閉蓋から投函した時に、自動的にＯＮ，ＯＦＦのスイッチが入り自宅内に取り付けてあるチャイムと連動し、音や音声が鳴る事で郵便物の有無が自動的にわかり、ムダに外に出て郵便物を確認する労力と時間を削減出来る郵便ポストである。
(57)【要約】【課題】  使用者が開運を願い、運命線や知能線等の太さや長さを使用者本人の理想形に変えていくと同時に、手の平のツボを刺激して健康増進を図るための、ローラー型手相改革マッサージャーを提供する。【解決手段】  ローラー部中央に周回して装着した先端の尖ったレールを手の平に押し当てながら、ローラー部を反復回転さすことにより、手の平に筋をつけ、使用者が開運を願い運命線や知能線等の太さや長さを使用者本人の理想形に変えていくと同時に、レールの両サイドに装着された複数の突起物で健康を目的とした手の平のマッサージを行なうことを特徴とするローラー型手相改革マッサージャー。【選択図】        図１
2005279207.tif 000002
【特許請求の範囲】
【請求項１】
ローラー部中央に周回して装着した先端の尖ったレールを手の平に押し当てながら、ローラー部を反復回転さすことにより、手の平に筋をつけ、使用者が開運を願い運命線や知能線等の太さや長さを使用者本人の理想形に変えていくと同時に、レールの両サイドに装着された複数の突起物により、健康を目的とした手の平のマッサージを行なうことを特徴とするローラー型手相改革マッサージャー。
【発明の詳細な説明】
【技術分野】
【０００１】  本発明は、使用者が開運を願い運命線や知能線等の太さや長さを使用者本人の理想形に変えていくと同時に、手の平のツボを刺激して健康増進を図ることを目的とする、ローラー型手相改革マッサージャーに関するものである。
【背景技術】
【０００２】  従来、手相の形を自分の理想の形に変える開運グッズと、手の平のツボを刺激して健康増進を図る健康グッズが一体となったアイテムは存在しなかった。
【発明の開示】
【発明が解決しようとする課題】
【０００３】  昨今の占いブームで手相に興味を示している人が多数存在する中、自分の手相に不満を抱き心身ともに充実していない人が多かった。
本発明は、以上の問題点を解決するするためになされたものである。
【課題を解決するための手段】
【０００４】  ローラー部中央に周回して装着した先端の尖ったレールを手の平に押し当てながら、ローラー部を反復回転さすことにより、手の平に筋をつけ、使用者が開運を願い運命線や知能線等の太さや長さを使用者本人の理想形に変えていくと同時に、レールの両サイドに装着された複数の突起物により健康を目的とした手の平のマッサージを行なう。以上を特徴とするローラー型手相改革マッサージャー。
【発明の効果】
【０００５】  本発明品を使用することで、使用者本人の手相を理想形に変えてく開運の作業で心の充実を図りながら、手の平のツボを刺激することにより身体の充実も図ることができる。
【発明を実施するための最良の形態】
【０００６】以下、本発明の実施の形態について説明する。
（イ）ローラー部本体（１）の中央に、硬質素材でできた先の尖ったレール（２）を設ける。
（ロ）ローラー部本体（１）の中央のレール（２）の両サイドに、ゴム材や木材や磁石や鉱石等で形成された複数の突起物（３）を設ける。
（ハ）握り部本体（６）にも、ゴム材や木材や磁石や鉱石等で形成された複数の突起物（３）を設ける。
（二）ローラー部本体（１）と握り部本体（６）は、ジョイント部（５）によって連結する。
（ホ）ローラー部本体（１）は、ジョイント部（５）のローラー軸（４）を中心に回転する。
本発明は以上の構成よりなっている。
本発明を使用するときは、人差指と中指でジョイント部（５）を挟む形で、握り部本体（６）を握りこむ。
もう片方の手の平の手相に、ローラー部本体（１）のレール（２）を押し当てながら、ローラー部本体（１）を何回も反復回転さすことにより、手の平に筋をつけ、運命線や知能線等の太さや長さを使用者本人の理想形に変えていくと同時に、レール（２）の両サイドに装着されたゴム材や木材や磁石や鉱石等で形成された複数の突起物（３）により、手の平のツボを刺激していく。
また、握り部本体（６）を握っている手の平のツボも、握り部本体（６）の突起物（３）によって刺激される。
【図面の簡単な説明】
【０００７】
【図１】    本発明の平面図
【図２】    本発明の側面図
【符号の説明】
【０００８】      １  ローラー部本体
２  レール
３  突起物
４  ローラー軸
５  ジョイント部
６  握り部本体
【図１】
2005279207.tif 000003
【図２】
2005279207.tif 000004
(57)【要約】【課題】  薬品の取り違いや必要な薬品の取り忘れや取出された薬品の数量間違い等の問題を解決しようとする、薬品監査装置を提供する。【解決手段】  薬品を画像データーとして認識する装置と、薬品の重量を計測する装置と、調剤情報を入力・表示する装置と、画像データー及び重量データーと入力情報とを比較判定する装置と、データーを記憶・解析する装置とを備えたものである。【選択図】  図２
2005279228.tif 000002
【特許請求の範囲】
【請求項１】
病院や調剤薬局等で使用されている薬品を、あらかじめ入力された調剤情報に従って取出された薬品の薬品種及び数量が、入力された調剤情報と一致しているかを薬品の画像データー及び薬品の重量データーを用いて比較判定する事を特徴とする装置であって、薬品を画像データーとして認識する装置と、薬品の重量を計測する装置と、調剤情報を入力・表示する装置と、画像データー及び重量データーと入力情報とを比較判定する装置と、データーを記憶・解析する装置とを備えた、薬品監査装置。
【発明の詳細な説明】
【技術分野】
【０００１】  この発明は、病院や調剤薬局等で調剤業務の薬品の払出しミスを防ぐための薬品監査に関し、払出された薬品が入力情報と一致しているかどうかを薬品の画像データー及び重量データーを基にして比較判定する、薬品監査装置に関する。
【背景技術】
【０００２】  従来、病院や調剤薬局等で利用されている薬品監査装置として、散剤の監査装置や水剤の監査装置は知られているが、シート状の薬品（錠剤・カプセル）やチューブ・バイアル・アンプル・ボトル等の薬品については、払出した薬剤師本人と最終監査者が目視により監査を行っているのが現状である。
【発明の開示】
【発明が解決しようとする課題】
【０００３】  このような従来の監査方法では、払出した薬剤師本人や最終監査者の目視だけを頼りにしていたため、薬品の取り違いや必要な薬品の取り忘れや取出された薬品の数量間違い等の問題が発生していました。【０００４】  本発明は、払出した薬剤師本人や最終監査者の目視だけを頼りにしていたため発生していた、薬品の取り違いや必要な薬品の取り忘れや取出された薬品の数量間違い等の問題を払出された薬品の画像データー及び重量データーを基にして入力情報と比較判定することにより、薬品の取り違いや必要な薬品の取り忘れや取出された薬品の数量間違い等の問題を解決しようとするものであり、薬品の払出しミスを防止することを目的とするものである。
【課題を解決するための手段】
【０００５】  上記の課題を解決するために、本発明の薬品監査装置においては、薬品を画像データーとして認識する装置と、薬品の重量を計測する装置と、調剤情報を入力・表示する装置と、画像データーと入力情報とを比較判定する装置とデーターを記憶・解析する装置を備えたものである。【０００６】  本発明は上記機構を採用したことにより、払出された薬品を画像データー及び重量データーとして認識し入力された調剤情報に基づく画像データー及び重量データーとの比較判定をすることが出来るため、目視だけを頼りにしていたため発生していた、薬品の取り違いや必要な薬品の取り忘れや取出された薬品の数量間違い等の問題を無くすことが出来る。その結果、病院や調剤薬局等で発生している薬品の払出しミスを防止することが出来る。
【発明の効果】
【０００７】  上述したように本発明の薬品監査装置は、入力情報と薬剤師が手作業で取出した薬品とを画像データー及び重量データーにより比較判定することが出来るため、目視だけを頼りにしていたため発生していた、薬品の取り違いや必要な薬品の取り忘れや取出された薬品の数量間違い等の問題を無くすことが出来る。その結果、病院や調剤薬局等で発生している薬品の払出しミスを防止することが出来る。
【発明を実施するための最良の形態】
【０００８】  本発明を実施するための最良の形態として一実施例を図２に基づいて説明する。
【実施例】
【０００９】  図２において、予め病院や調剤薬局等で使用されている薬品の画像データー及び重量データーを画像データー認識装置２及び重量計測装置４により作成する。作成する画像データーは１薬品につき３〜４データーとする。（複雑な形状の薬品の場合は画像データーを増やす場合もある）【００１０】  画像データー認識装置２及び重量計測装置４により作成された薬品データーは、薬品別に画像データー及び重量データーとして記憶・解析装置７に保存する。保存された薬品別データーは、薬品の比較判定時に取出して使用する。【００１１】  調剤情報をデーター入力・表示装置５より入力する。（ＬＡＮ接続による外部データーの取込みも可能）入力された調剤情報に基づいて、記憶・解析装置７より必要な薬品別の画像データーを比較判定装置６に送る。【００１２】  入力された調剤情報に従って、薬剤師が薬品収納場所より必要な薬品を取出し、薬品セットステージ１の上に置く。薬品セットステージ１に置かれた薬品は、画像データー認識装置２により画像データーに変換され、比較判定装置６に送られる。【００１３】  比較判定装置６に送られた画像データーは、調剤情報に基づいて記憶・解析装置７より送られた薬品別の画像データーと比較判定を行い、判定結果（ＯＫ・ＮＧ）をデーター入力・表示装置５及び記憶・解析装置７に送る。【００１４】  記憶・解析装置７は、送られてきた判定結果がＯＫの場合、重量計測装置４により薬品重量を計測する。計測された重量データーは、比較判定装置６に送られる。【００１５】  比較判定装置６に送られた重量データーは、調剤情報に基づいて記憶・解析装置７より送られた薬品別の重量データーと比較判定を行い、判定結果を記憶・解析装置７に送る。【００１６】  記憶・解析装置７は、送られてきた判定結果を装置内部に保存すると共に、データー入力・表示装置５に送り表示する。【００１７】  取出し薬品が複数種ある場合は、上記の作業を繰返し行う。【００１８】  上記、本発明の装置構成は一実施例に過ぎず調剤情報の入力に変わって、処方箋や指示書に書かれているバーコードを利用することも可能である。この場合、薬剤師は処方箋や指示書に従って薬品の取出しを行う。また、重量計測装置４の外部取付けも可能である。
【図面の簡単な説明】
【００１９】
【図１】本発明の一実施例を示す薬品監査装置の概観の正面図である。
【図２】本発明の一実施例を示す薬品監査装置の内部の様式的な側面図である。
【符合の説明】
【００２０】１  薬品セットステージ
２  画像データー認識装置
３  照明
４  重量計測装置
５  データー入力・表示装置
６  比較判定装置
７  記憶・解析装置
【図１】
2005279228.tif 000003
【図２】
2005279228.tif 000004
(57)【要約】【課題】従来の便座は、主にプラスチックと一部にゴムからできているため、人が便座に座った時に衝撃を感じることがある。【解決手段】便座の裏面にバネを内蔵したプラスチックの足をつけ、人が便座に座った時の衝撃をバネの圧縮により効率よく防止することができる。【選択図】図４
2005279230.tif 000002
【特許請求の範囲】
【請求項１】
便座の足にバネを内蔵させ、上下にピストン運動をするようにした便座
【発明の詳細な説明】
【技術分野】
【０００１】本発明は、便座にクッションの弾力性を持たせることに関する。
【背景技術】
【０００２】従来の便座は便座の足にゴムがついていて衝撃を防ぐ対策を施したものがある。
また、便座カバーを使用することもある。
【発明の開示】
【発明が解決しようとする課題】
【０００３】このような従来の便座では便座の足についているゴムからどうしても座った時に使用者に衝撃が伝わる。
また、便座カバーを使用すると衝撃は防げるが汚れや衛生面で問題がある。
【課題を解決するための手段】
【０００４】本発明は、これらの課題を解決するために、便座の足にバネを内蔵させ、そのバネの伸縮運動により、衝撃を効率よく防止することが出来る。
【発明の効果】
【０００５】このように本発明の便座は、使用者の方への衝撃を抑えることができ、クッション機能付き便座を提供できる。
【発明を実施するための最良の形態】
【０００６】以下、本発明の実施の形態を図１〜図４に基づいて説明する。【０００７】図３において、便座の後部のピストンの下部４は固定されていて、便座の後部ピストンの上部３がバネ８の伸縮によって上下に動くことができる。【０００８】図４において、便座の足のピストンの上部１は固定されていて便座の足のピストンの下部２がバネ８の伸縮によって上下に動くことができる。【０００９】以下、構成の動作を説明する。人が便座５に座ると、便座の足のピストン上部１と便座の後部の上部３が同時にバネ８を押し下げることにより、人に伝わる
はずの衝撃を吸収することができる。
【図面の簡単な説明】
【００１０】
【図１】本発明の実施形態を示す便器の右上方から見た図
【図２】同便座の上方から見た断面図
【図３】同便座の図２におけるＡ−Ａ線の断面図
【図４】同便座の図２におけるＢ−Ｂ線の断面図
【符号の説明】
【００１１】１．便座の足のピストンの上部  ２．便座の足のピストンの下部  ３．便座後部のピストンの上部  ４．便座後部のピストンの下部  ５．便座  ６．ゴム  ７．便座後部  ８．バネ  ９．便蓋  １０．便器
【図１】
2005279230.tif 000003
【図２】
2005279230.tif 000004
【図３】
2005279230.tif 000005
【図４】
2005279230.tif 000006
(57)【要約】【課題】静脈内注射は静脈内に留置したカテーテルを絆創膏で固定するが、次のような問題点があった。障害物の接触によるカテーテル部位の脱離、四肢屈曲による静脈損傷、また、無意識によるカテーテルの抜去などである。本発明はこれらの障害を軽減する簡便で安価な静脈保護具を提供することを目的とする。【解決手段】通気孔のある（なくても可）厚みを持った、はさみ等で容易に長さを調節できる透明軟性合成樹脂板、長径はニ関節を同時に固定できる十分な長さを持ち、両端には粘着テープあるいはベルクロ（商標登録）材料等から形成されるホックーループで同樹脂版を円筒形に固定する。あるいは円筒形に形成後、ベルクロ（商標登録）バンド等で外部より固定することも可。【選択図】    なし【特許請求の範囲】
【請求項１】
長径がニ関節を同時に固定できる十分な長さを確保した、通気穴（なくても可）のある、はさみ等で容易に切断できる軟性合成樹脂板を患者の四肢の直径に合わせ円筒形に形成し、同樹脂板の端に粘着テープあるいはベルクロ（商標登録）等を装着し、あるいは外部よりベルクロ（商標登録）バンド等にて、その形態を維持できる構造
【発明の詳細な説明】
【技術分野】
【０００１】本発明は、医療関係者により利用される四肢の静脈の保護に関して、外部からの接触、および関節の可動により生じる静脈血管の損傷を保護するために用いられる安価で装着の簡便な装置に関するものである。
【背景技術】
【０００２】血液、薬液を静脈から体内に供給するため、患者の四肢の選択された静脈部位において、点滴チューブに接続した金属あるいは軟性のカテーテルが使用される。静脈点滴治療を受ける患者が別の場所に移動しなければならない場合、たとえば事故現場から病院への搬送、病室から検査室、トイレ等への移動の際に同部位の衝撃および関節の屈曲による静脈損傷が生じる場合がある。また、同部位がベッドカバー、衣服あるいは他の物品とすれることによりカテーテルの部分的または完全な脱離を生じることがある。過去においても様々な静脈点滴保護装置が開発されている。たとえば、実願平１１−２７０６、特願平１０−５４２８１１などには透明カバーで静脈点滴部位のみを保護し、取り付けの際に煩雑な手間を必要とする静脈保護装置が記述されている。しかしながら、これらの装置は、簡便性、体液の付着等による感染を考えディスポ製品としての経済性、解剖学的および力学的見地に基づいたニ関節同時固定による屈曲の著しい制限などを備えた総合的な静脈点滴部位の保護装置としては対処できていない。
【発明の開示】
【発明が解決しようとする課題】
【０００３】従来の静脈注射部位におけるカテーテルの固定は絆創膏による固定が通常であった。これには次のような問題点があった。長時間にわたる静脈固定のため、体動や移動の際にカテーテルの脱離や液漏れ、静脈損傷等が起こった。また、精神的疲労、意識混濁により無意識的にカテーテルを抜去した事例も多数存在する。また、医療用品は感染等の可能性を考えディスポ製品としての経済性を考慮しなければならない。本発明は安価かつ簡便にニ関節を同時に固定することにより、上記の問題を軽減し、患者の多少の体位移動では同部位に影響を与えないようになされたもである。
【課題を解決するための手段】
【０００４】上記課題を解決するために本発明は以下の構成からなっている。個人の肢の長さに合わせてはさみ等で容易に切断できる可塑性を持つ透明合成樹脂板で両端は粘着テープあるいはベルクロ（商標登録）にて円筒形に丸めた場合、固定できるようになっている。あるいは外部よりベルクロ（商標登録）バンドにて固定も可能。円筒形に形成した状態では、静脈内点滴の静脈カテーテル挿入部位を全周で保護し、身辺の障害物との接触を減少させ、また、ニ関節を同時に固定することのできる十分な長さをもつことにより解剖学的見地および力学的見地からわずかな抵抗力で関節屈曲部の可動性を著しく制限し、カテーテルによる静脈損傷を予防でき、かつ、保護カバーは透明の軟性合成樹脂を使用しているため外部からカテーテル挿入部の観察を容易にできる構造となっている。さらに、構造が単純なため安価に製造でき、体液等の付着による感染の可能性を考えディスポ製品としての使用も可能となる。
【発明の効果】
【０００５】本発明は以上説明した構造となっている。以下に記載されるような効果を示す。医療における静脈内点滴注射は治療をする上で大変重要な位置を占めている。また、その治療現場は病院内だけにとどまらず、家庭内、救急車内、航空機内、列車内など人が存在するいたる場所で使用される可能性がある。また、注射液量も多く、長時間の装着が必要であり、そのため、体動や排尿のための移動、不慮の同部位への接触事故を未然に防ぐことは重要である。本発明の簡易点滴保護具を使用する際は、点滴注射部位の下に本発明品を置き、円筒形に丸めるだけでの簡便さで点滴注射部位を固定でき、救急現場や移動時の接触や屈曲等による静脈損傷などの事故を軽減することに有効である。また、患者自身の点滴中の同様の不安を軽減することも出来る。
【発明を実施するための最良の形態】
【０００６】以下実施例について図面を参照して説明する。図１に示す様に素材はある程度の厚みをもったニ関節を同時に固定できる長さを有し、はさみ等で容易に切断できる軟質合成樹脂板である。また、通気のため多数の通気穴  を設けることも可能である。端は粘着テープを装着して円筒形の形を維持できるようにしている。図２は両端にベルクロ（登録商標）材料を縦に接着し、円筒形の直径をさらに自由度が高く決定できるようにした。図３は同発明品を端を粘着テープで固定し円筒形に形成した図である。図４はベルクロ（登録商標）にて同様に円筒形に固定した図である。図５は実際の使用場面で静脈カテーテル挿入  後、ニ関節  を同時に固定できる長さのある軟質合成樹脂版を肢の下に敷いた図である。図６は患者の肢の直径にあわせ円筒形に形成しニ関節  を固定しながら静脈穿刺部を保護している図である。しかしながら、本発明は、以上述べた実施例に限定されるものではない。
【図面の簡単な説明】
【０００７】
【図１】  本発明の軟性合成樹脂板展開図（粘着テープ）
【図２】  本発明の軟性合成樹脂板展開図（ベルクロテープ）
【図３】  本発明の円筒形組み立て図（粘着テープ）
【図４】  本発明の円筒形組み立て図（ベルクロテープ）
【図５】  点滴肢設置図
【図６】  点滴肢装着図
【符号の説明】
【０００８】１．合成樹脂版
２．通気穴
３．接着面
４．点滴カテーテル挿入部
５．上肢関節部（肘関節、手首関節）
６．点滴チューブ
【図１】
2005279223.tif 000002
【図２】
2005279223.tif 000003
【図３】
2005279223.tif 000004
【図４】
2005279223.tif 000005
【図５】
2005279223.tif 000006
【図６】
2005279223.tif 000007
(57)【要約】【課題】  アルミ箔やアルミ加工の施された耐火性素材を形成した調理用油とび防止カバーを提供する。【解決手段】  アルミ箔やアルミ加工の施された耐火性素材に凹凸溝形状を付け、フライパンやてんぷら鍋等の油を利用する任意の調理器の開口部手前側をおおう形状のカバー本体に、前記調理器の外側位置にあたる周辺部に設けられた折り込み可能な複数の羽部とよりなる調理用油とび防止カバー。【選択図】  図１
2005279229.tif 000002
【特許請求の範囲】
【請求項１】
アルミ箔やアルミ加工の施された耐火性素材に凹凸溝形状を付け、フライパンやてんぷら鍋などの油を利用する任意の調理器の開口部手前側をおおう形状のカバー本体に前記調理器の外側位置にあたる周辺部に設けられた折り込み可能な複数の羽部とよりなる調理用油とび防止カバー。
【発明の詳細な説明】
【技術分野】
【０００１】  本発明は、アルミ箔やアルミ加工の施された耐火性素材を形成した調理用油とび防止カバーに関するものである。
【背景技術】
【０００２】  従来、フライパンやてんぷら鍋等で油を使った調理の場合、油とび防止のために専用の金属製又はガラス製のふたを使用していた。
【発明の開示】
【発明が解決しようとする課題】
【０００３】  そのために、次のような問題点があった。
（イ）フライパン等調理器の全面をおおうため、中に水分がこもってしまう。
（ロ）調理状態を見るには、ふたをはずさなければならず、中の水滴がはねて危険で          ある。
本発明は、これらの問題点を解決するためになされたものである。
【課題を解決するための手段】
【０００４】  アルミ箔やアルミ加工の施された耐火性素材に凹凸溝形状を付ける。フライパンやてんぷら鍋等の油を利用する任意の調理器の開口部手前側をおおう形状のカバー本体の前記調理器の外側位置にあたる周辺部に、折り込み可能の複数の羽部を設ける。羽部を折り曲げて前記調理器の開口部手前側にかける。以上を特徴とする調理用油とび防止カバーである。
【発明の効果】
【０００５】  手元方向に油がはねる危険を少なくする。調理器の開口部全面をおおうのでは無いため水分がこもらず、又カバーをしたまま調理状態を確認することができる。やわらかく形成しやすい素材のため、調理器の大きさのバリエーションに合わせやすい。
【発明を実施するための最良の形態】
【０００６】  以下、本発明の実施の形態について説明する。
（イ）アルミ箔やアルミ加工の施された耐火性素材に凹凸溝（４）を付ける。
（ロ）本体（１）の周辺部（３）に４個の羽部（２）を設ける。
（ハ）羽部（２）は、取り付けた際に調理器の取っ手の邪魔にならない範囲で等間隔          に近い配置とする。
本発明は以上のような構成で、本発明を使用するときは、羽部（２）を折り曲げ、調理器開口部手前側のふちにかけて使用する。凹凸溝（４）が付いているため平面のままの素材より強度、安定感がある。
【図面の簡単な説明】
【０００７】
【図１】  本発明の平面図
【図２】  本体断面図
【図３】  本発明の使用状態を示す斜視図
【符号の説明】
【０００８】    １  本体
２  羽部
３  周辺部
４  凹凸溝
５  調理器
【図１】
2005279229.tif 000003
【図２】
2005279229.tif 000004
【図３】
2005279229.tif 000005
(57)【要約】 【課題】塩化ナトリウムや塩化カリウムを原料にして造型した水溶性中子は、水で溶解した場合には非常に時間がかかる。【解決手段】塩化ナトリウムおよび／または塩化カリウムを基材にして造型した軽合金鋳造用水溶性中子において、基材に塩化ストロンチウムを５〜４０重量％添加したことを特徴とする。【選択図】     なし 【特許請求の範囲】
【請求項１】
塩化ナトリウムおよび／または塩化カリウムを基材にして造型した軽合金鋳造用水溶性中子において、  
前記基材に塩化ストロンチウムを５〜４０重量％添加したことを特徴とする軽合金鋳造用水溶性中子。
【請求項２】
請求項１に記載の水溶性中子が内在した軽合金鋳物を水中に浸して前記水溶性中子を溶解させることを特徴とする水溶性中子の除去方法。
【請求項３】
請求項２に記載の水溶性中子の除去方法で生じた塩含有溶液から塩を再生し、この再生した塩を用いて軽合金鋳造用水溶性中子を造型することを特徴とする水溶性中子の造型方法。
【発明の詳細な説明】
【技術分野】
【０００１】
本発明は、軽合金鋳造用水溶性中子、水溶性中子の除去方法および水溶性中子の造型方法に関する。
【背景技術】
【０００２】
近年、融点が比較的低いが、水等の入手が容易で安価な溶媒で簡単に溶解させて除去すめことができるとして、アルミニウム合金鋳物等の軽合金鋳物を鋳造する場合に、塩化ナトリウムや塩化カリウムを原料にして造型した塩中子が提案されている。
【０００３】
しかし、この塩化ナトリウムや塩化カリウムを原料にした塩中子は、水による溶解に非常に時間がかかる問題があった。
【特許文献１】特開昭５２−６１１２７号公報
【発明の開示】
【発明が解決しようとする課題】
【０００４】
解決しようとする問題点は、塩化ナトリウムや塩化カリウムを原料にした塩中子は、水による溶解に非常に時間がかかる点である。  
【課題を解決するための手段】
【０００５】
上記の問題を解消するために請求項１の軽合金鋳造用水溶性中子は、塩化ナトリウムおよび／または塩化カリウムを基材にして造型した軽合金鋳造用水溶性中子において、前記基材に塩化ストロンチウムを５〜４０重量％添加したことを特徴とする。
【０００６】
なお、請求項１の軽合金鋳造用水溶性中子において、塩化ストロンチウムの添加量が５重量％未満であると、水による溶解性が低下し、また４０重量％を越えると、溶解温度が５８０度以下となって軽合金鋳造用水溶性中子としての使用が不可能になる。
【０００７】
また、請求項２の水溶性中子の除去方法は、請求項１に記載の水溶性中子が内在した軽合金鋳物を水中に浸して前記水溶性中子を溶解させることを特徴とする。
【発明の効果】
【０００８】
上記の説明から明らかなように請求項１の軽合金鋳造用水溶性中子は、塩化ナトリウムおよび／または塩化カリウムを基材にして造型した軽合金鋳造用水溶性中子において、前記基材に塩化ストロンチウムを５〜４０重量％添加したから、水で比較的短時間で溶解し、しかも、再利用サイクルを繰り返しても、炭酸カリウムが生成することがないなどの優れた実用的効果を奏する。
【実施例１】
【０００９】
塩化ナトリウムを５５〜６５重量％、残りを塩化カリウムにした塩に、塩化ストロンチウムを各種重量％添加し混合して得た混合物を用いて中子を造型し、この塩中子の水溶解性、潮解性、強度および耐熱性について調査・測定した結果を表１に示す。
なお、ここで、水溶解性とは塩中子が温度６０℃の水に溶け込む速度をいう。また、潮解性とは塩中子の塩が空気中の水分を呼んで塩自体が溶け出す現象をいう。この潮解性があると、アルミニウム合金鋳物の鋳造に用いた場合、アルミニウム合金溶融が水蒸気爆発を起こすため、潮解性は無いほうが良い。また、強度は曲げ強さが６ＭＰａ以上あるか否かを調査したが、全ての塩中子は曲げ強さが１３〜２０Ｍｐａであった。また、融点が６４０〜６５０℃であった。
【００１０】
【表１】
2005279709.tif 000002
表１からは、基材に塩化ストロンチウムを５〜４０重量％添加すると、中子として使用可能であることが分かる。